(57)【要約】【課題】吐水流量に拠らず吐水流を変化させることができる吐水装置を提供する。【解決手段】吐水装置１００は、左右方向の幅が広いスリット状の吐出口２０が端部に設けられた絞り流路１２を備え、水を浴槽へ吐出する。絞り流路１２は移動可能に設けられている。【選択図】図４
2019208637.tif 000002
【特許請求の範囲】
【請求項１】
左右方向の幅が広いスリット状の吐出口が端部に設けられた絞り流路を備え、水を浴槽へ吐出する吐水装置であって、
前記絞り流路が移動可能に設けられていることを特徴とする吐水装置。
【請求項２】
前記絞り流路は、上下方向に移動可能に設けられていることを特徴とする請求項１に記載の吐水装置。
【請求項３】
前記絞り流路は、左右方向の軸まわりに回動可能に設けられていることを特徴とする請求項１または２に記載の吐水装置。
【請求項４】
前記絞り流路は、前後方向に移動可能に設けられていることを特徴とする請求項１から３のいずれか１項に記載の吐水装置。
【発明の詳細な説明】
【技術分野】
【０００１】
本発明は、浴槽に用いる吐水装置に関する。
【背景技術】
【０００２】
例えば、特許文献１には、水を吐出する吐出口、上流側から流入する水を溜めるための貯留室、および貯留室内の水を吐出口へ送り出すための絞り流路を有する吐出通路が内部に形成された吐水装置が開示されている。吐水装置は、横長なスリット状の吐出口から膜状の吐水流を吐出する。
【先行技術文献】
【特許文献】
【０００３】
【特許文献１】特開２０１６−００８４２９号公報
【発明の概要】
【発明が解決しようとする課題】
【０００４】
特許文献１に記載の吐水装置は、浴槽の上縁部等に配置され、ユーザの肩などに膜状の吐水流を当てる。例えば、吐水装置は、流量を調整することで吐水流の浴び心地に変化をつけることが可能である。しかし、流量調節だけでは、流量と吐水流の到達距離が比例するため、遠くの位置で浴びる場合には流量が大きく、近くの位置で浴びる場合には流量が小さくなり、吐水流をユーザの嗜好に合わせて十分に楽しむことができなかった。
【０００５】
本発明は、斯かる事情に鑑みてなされたものであり、その目的とするところは、吐水流量に拠らず吐水流を変化させることができる吐水装置を提供することにある。
【課題を解決するための手段】
【０００６】
本発明に係る吐水装置は、左右方向の幅が広いスリット状の吐出口が端部に設けられた絞り流路を備え、水を浴槽へ吐出する吐水装置であって、前記絞り流路が移動可能に設けられていることを特徴とする。
【発明の効果】
【０００７】
本発明によれば、吐水装置は、吐水流量に拠らず吐水流を変化させることができる。
【図面の簡単な説明】
【０００８】
【図１】実施形態１に係る吐水装置を含む浴槽装置の外観を示す斜視図である。
【図２】吐水装置に用いられる給水系を示す構成図である。
【図３】吐水装置の正面図である。
【図４】図３に示すＡ−Ａ線による吐水装置の断面図である。
【図５】本体部を上方へ移動させた状態における図３に示すＡ−Ａ線による断面に相当する吐水装置の断面図である。
【図６】実施形態２に係る吐水装置における図３に示すＡ−Ａ線による断面に相当する断面図である。
【図７】本体部の前面側が上がるように回動させた状態における図３に示すＡ−Ａ線による断面に相当する吐水装置の断面図である。
【図８】実施形態３に係る吐水装置における図３に示すＡ−Ａ線による断面に相当する断面図である。
【図９】本体部を前方へ移動させた状態における図３に示すＡ−Ａ線による断面に相当する吐水装置の断面図である。
【図１０】図１０（ａ）および図１０（ｂ）は、変形例に係る吐水装置における図３に示すＡ−Ａ線による断面に相当する断面図である。
【図１１】図１１（ａ）および図１１（ｂ）は、別の変形例に係る吐水装置における図３に示すＡ−Ａ線による断面に相当する断面図である。
【図１２】図１２（ａ）は本体部を上方へ移動させた状態における吐水装置の断面図であり、図１２（ｂ）は本体部の前面側が上がるように回動させた状態における吐水装置の断面図である。
【発明を実施するための形態】
【０００９】
以下、本発明を好適な実施の形態をもとに図１から図１２を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１０】
（実施形態１）
図１は実施形態１に係る吐水装置１００を含む浴槽装置１０１の外観を示す斜視図であり、図２は吐水装置１００に用いられる給水系を示す構成図である。浴槽装置１０１は、湯を溜める浴槽９０および吐水装置１００を備える。浴槽９０は、フランジ部９０ａに吐水装置１００が取り付けられている。吐水装置１００は、膜状の吐水流を吐出し、浴槽内で入浴するユーザの身体、例えば肩などに浴びせる。
【００１１】
吐水装置１００は、供給装置８０から水の供給を受ける。供給装置８０は、浴槽９０に溜められた水をポンプ８１によって吸い込み、吐水装置１００に水を供給する。供給装置８０は、止水弁８２が開状態のときに水を吐水装置１００へ送り出し、止水弁８２が閉状態のときに吐水装置１００への給水を停止する。供給装置８０は、図２に示す浴槽９０に溜められた水の循環系によるもの以外にも、図示しない給湯装置から取水するものでもよい。
【００１２】
図３は吐水装置１００の正面図、図４は図３に示すＡ−Ａ線による吐水装置１００の断面図である。吐水装置１００は、本体部１および給水部４０を備える。本体部１は、左右方向の幅寸法が大きい直方体状であり、内部に吐出通路１０が形成されている。吐出口２０は、左右方向に幅が広いスリット状であり、浴槽９０を臨む本体部１の正面側に形成されている。
【００１３】
給水部４０は、筒状であり、本体部１の下方の左右に２箇所設けられており、内部に給水路４１が形成される。給水部４０の内側には浴槽９０のフランジ部９０ａの上方から挿入するようにして外筒部４２が嵌め合わされている。外筒部４２の内側は給水路４１の一部をなす。給水部４０および外筒部４２は、フランジ部９０ａに固定されている。
【００１４】
本体部１は、下部の左右に内筒部１５を有しており、内筒部１５を上方から外筒部４２に嵌め合わせて取り付けられる。内筒部１５の外周面と外筒部４２の内周面との間にはシール材等を設けて水密に封じられている。内筒部１５の内側は、給水路４１の一部をなす。
【００１５】
本体部１の内部に形成される吐出通路１０は、貯留室１１および絞り流路１２を備える。貯留室１１は、給水部４０の給水路４１に連通し、上流側から流入する水を溜める。貯留室１１の左右方向の幅は、吐出口２０の左右方向の幅に相当する。貯留室１１には、吐出口２０の左右方向の幅に相当する左右方向の幅を有する底部１１ａが設けられている。底部１１ａは、給水路４１に対応する位置に上下に貫通する貫通孔を有しており、該貫通孔を通して給水部４０から貯留室１１へ水が供給される。
【００１６】
絞り流路１２は、貯留室１１に連通し、上下方向の幅が狭く、左右方向に幅が広い通路として形成されている。絞り流路１２の正面側の端部は、吐出口２０となっている。吐水装置１００は、左右に設けられた給水部４０から供給された水が、貯留室１１に一旦溜められ、絞り流路１２を通って吐出口２０から吐出される。
【００１７】
次に実施形態１に係る吐水装置１００の動作について説明する。図５は、本体部１を上方へ移動させた状態における図３に示すＡ−Ａ線による断面に相当する吐水装置１００の断面図である。図５に示すように、本体部１の内筒部１５を外筒部４２の内側で上方へ摺動させることで、鉛直方向を示す矢印Ｐに沿って、本体部１が上方へ並進移動する。逆に内筒部１５を外筒部４２の内側で下方へ摺動させることで、本体部１が下方へ並進移動する。また、図５に示す矢印Ｑのように、鉛直方向からやや上側が後方へ傾く傾斜した方向に本体部１が並進移動するよう、内筒部１５を外筒部４２に対して摺動させる構成としてもよい。矢印Ｑの方向は、例えば浴槽９０の壁面に沿う方向であるとする。
【００１８】
吐水装置１００は、本体部１が上下方向に移動可能な可動部となっており、本体部１に設けられた絞り流路１２および吐出口２０を上下方向に並進させる。吐出口２０から吐出される吐水流は、本体部１を上方へ移動させた状態で、上方の位置から吐出され、遠方に到達する。吐出口２０から吐出される吐水流は、本体部１を下方へ移動させた状態で、下方の位置から吐出され、吐水装置１００に近い側に到達する。
【００１９】
吐水装置１００は、可動部である本体部１を上下方向に並進移動させることで、吐水流量に拠らず吐水流を変化させることができる。ユーザは、身体の大きさに応じて、本体部１を上下方向に移動させることによって、吐出口２０からの吐水流を浴びせる位置を調整することができる。本体部１は、矢印Ｑが示す方向に移動する場合も、前後への動きを伴いつつ、上下方向に移動していると考えることができ、本発明における上下方向へ移動することに含まれる。例えばユーザが浴槽９０の壁面に背中を接触させて浴槽９０内に着座した場合、ユーザの上半身が浴槽９０の壁面に沿った姿勢となり、ユーザの頭部は、丁度、吐水装置１００のやや上方の前側に位置することになる。矢印Ｑが示す方向に本体部１が移動することで、本体部１は、上方に移動したときに後方へも移動し、ユーザの頭部への干渉を回避することができる。また、ユーザが本体部１の上面の前縁部分に頭部を持たせかける姿勢をとる場合にも、矢印Ｑが示す方向に本体部１が移動することで、ユーザの頭部から背中のラインをほぼ同じラインに保つことができるので、ユーザは、背中から頭部にかけてほぼ同じ姿勢を維持してくつろぐことができる。
【００２０】
尚、吐水装置１００は、ユーザの手動によって本体部１を上下させる構成としてもよいし、モータ等を設けて電動で本体部１を上下させる構成としてもよい。また、吐水装置１００は、本体部１をモータ等の電動によって上下に反復駆動させ、吐出口２０からの吐水流をスイングさせることもできる。
【００２１】
（実施形態２）
図６は、実施形態２に係る吐水装置１００における図３に示すＡ−Ａ線による断面に相当する断面図である。実施形態２に係る吐水装置１００は、給水部４０の上部に球面座部４０ａを設け、対応する本体部１の下部の位置に球面座部４０ａに嵌め合わされる嵌合部１６が設けられている。
【００２２】
嵌合部１６は、外側面が球面座部４０ａに嵌め合わされる球面状に形成されており、内部は上下に貫通して給水路４１から供給される水を貯留室１１へ導く。嵌合部１６は、球面座部４０ａに上方から着座させるようにして嵌め合わされ、外周にシール材等を嵌めて球面座部４０ａとの間を水密に保ち、押さえ部材等で抜け止めして取り付けられる。
【００２３】
本体部１は、嵌合部１６が球面座部４０ａで左右方向の軸まわりに回動し、全体として左右方向の軸まわりに回動する。嵌合部１６および球面座部４０ａが左右に２箇所設けられているため、本体部１は前後方向および上下方向の軸まわりには回動しない。
【００２４】
次に実施形態２に係る吐水装置１００の動作について説明する。図７は、本体部１の前面側が上がるように回動させた状態における図３に示すＡ−Ａ線による断面に相当する吐水装置１００の断面図である。図７に示すように、本体部１の嵌合部１６を球面座部４０ａで左右方向の軸まわりに回動させることで、本体部１を左右方向の軸まわりに回動させる。本体部１は、左右方向の軸まわりの回動によって、吐出口２０の向きを上下に移動させることができる。
【００２５】
吐水装置１００は、本体部１が左右方向の軸まわりに回動可能な可動部となっており、本体部１に設けられた絞り流路１２および吐出口２０の向きを上下方向に変化させる。吐出口２０から吐出される吐水流は、本体部１を前面側が上がるように回動させた状態で、上方の位置から吐出され、遠方に到達する。吐出口２０から吐出される吐水流は、本体部１を前面側が下がるように回動させた状態で、下方の位置から吐出され、吐水装置１００に近い側に到達する。
【００２６】
吐水装置１００は、可動部である本体部１を左右方向の軸まわりに回動させることで、吐水流量に拠らず吐水流を変化させることができる。ユーザは、身体の大きさに応じて、本体部１を左右方向の軸まわりに回動させることによって、吐出口２０からの吐水流を浴びせる位置を調整することができる。
【００２７】
（実施形態３）
図８は、実施形態３に係る吐水装置１００における図３に示すＡ−Ａ線による断面に相当する断面図である。実施形態３に係る吐水装置１００は、本体部１が前後方向に並進移動するように構成されている。本体部１は、吐出通路１０を有し、底部１１ａを含めて前後方向に並進移動する。
【００２８】
本体部１は、浴槽９０のフランジ部９０ａに固定される給水部４０に対して前後方向に摺動可能に支持されている。本体部１と給水部４０との摺動部分にはシール材等が配置されており、供給される水が外部に流出しないように水密に保たれている。
【００２９】
次に実施形態３に係る吐水装置１００の動作について説明する。図９は、本体部１を前方へ移動させた状態における図３に示すＡ−Ａ線による断面に相当する吐水装置１００の断面図である。図９に示すように、本体部１を前方へ移動させた状態においても、吐出通路１０の貯留室１１が給水路４１に連通し、供給される水が貯留室１１に一旦溜められ、絞り流路１２を通って吐出口２０から吐出される。
【００３０】
吐水装置１００は、本体部１が前後方向に並進移動が可能な可動部となっており、本体部１に設けられた絞り流路１２および吐出口２０を前後方向に移動させる。吐出口２０から吐出される吐水流は、本体部１を前方へ移動させた状態で、より遠方に到達する。吐出口２０から吐出される吐水流は、本体部１を後方へ移動させた状態で、吐水装置１００に近い側に到達する。
【００３１】
吐水装置１００は、可動部である本体部１を前後方向に移動させることで、吐水流量に拠らず吐水流を変化させることができる。ユーザは、身体の大きさに応じて、本体部１を前後方向に移動させることによって、吐出口２０からの吐水流を浴びせる位置を調整することができる。
【００３２】
（変形例）
図１０（ａ）および図１０（ｂ）は、変形例に係る吐水装置１００における図３に示すＡ−Ａ線による断面に相当する断面図である。図１０（ｂ）は、上側本体部１ａを前方へ移動させた状態における断面を表している。変形例に係る吐水装置１００は、本体部１を、底部１１ａを含む下側本体部１ｂと、底部１１ａより上側に位置する上側本体部１ａとに分割し、上側本体部１ａが前後方向に並進移動するように構成されている。
【００３３】
上側本体部１ａおよび下側本体部１ｂは、ともに左右方向の幅寸法が大きい直方体状である。上側本体部１ａは、貯留室１１の上側の内壁面、および絞り流路１２を有し、下側本体部１ｂに対して前後方向に摺動可能に支持されている。下側本体部１ｂは、給水部４０に嵌合する筒部を下部に有し、給水部４０に固定されている。上側本体部１ａと下側本体部１ｂとの摺動部分にはシール材等を配置されており、供給される水が外部に流出しないように水密に保たれている。
【００３４】
図１０（ｂ）に示すように、上側本体部１ａを前方へ移動させた状態においても、吐出通路１０における貯留室１１が前方へずれた位置で形成されており、供給される水が貯留室１１に一旦溜められ、絞り流路１２を通って吐出口２０から吐出される。
【００３５】
吐水装置１００は、上側本体部１ａが前後方向に並進移動が可能な可動部となっており、上側本体部１ａに設けられた絞り流路１２および吐出口２０を前後方向に移動させる。吐出口２０から吐出される吐水流は、上側本体部１ａを前方へ移動させた状態で、より遠方に到達する。吐出口２０から吐出される吐水流は、上側本体部１ａを後方へ移動させた状態で、吐水装置１００に近い側に到達する。
【００３６】
吐水装置１００は、可動部である上側本体部１ａを前後方向に移動させることで、吐水流量に拠らず吐水流を変化させることができる。ユーザは、身体の大きさに応じて、上側本体部１ａを前後方向に移動させることによって、吐出口２０からの吐水流を浴びせる位置を調整することができる。
【００３７】
図１１（ａ）および図１１（ｂ）は、別の変形例に係る吐水装置１００における図３に示すＡ−Ａ線による断面に相当する断面図である。図１１（ｂ）は、本体部１を前方へ移動させた状態における断面を表している。この変形例に係る吐水装置１００は、本体部１が、上下方向への並進移動、および左右方向の軸まわりの回動が可能であり、上側本体部１ａが前後方向に並進移動するように構成されている。
【００３８】
本体部１は、図１０（ａ）に示した変形例と同様に、上側本体部１ａと下側本体部１ｂとに分割されている。上側本体部１ａは、図１１（ｂ）に示すように下側本体部１ｂに対して前後方向に並進移動が可能である。吐水装置１００は、上側本体部１ａの前後方向の並進移動により、絞り流路１２および吐出口２０を前後方向に移動させることができる。
【００３９】
図１２（ａ）は本体部１を上方へ移動させた状態における吐水装置１００の断面図であり、図１２（ｂ）は本体部１の前面側が上がるように回動させた状態における吐水装置１００の断面図である。図１２（ａ）に示すように、本体部１は、内筒部１５が給水部４０に対して上方へ摺動する。吐水装置１００は、本体部１の上下方向の並進移動により、絞り流路１２および吐出口２０を上下方向に移動させることができる。
【００４０】
また図１２（ｂ）に示すように、本体部１は、嵌合部１６において球面座部４０ａに対して左右方向の軸まわりに回動する。吐水装置１００は、本体部１が左右方向の軸まわりに回動することに伴って、絞り流路１２および吐出口２０が回動し、吐出口２０の向きを上下に移動させることができる。これらの動きによって、吐水装置１００は、吐水流量に拠らず吐水流を変化させることができる。
【００４１】
次に、各実施形態および変形例の吐水装置１００の特徴を説明する。
本発明の実施形態および変形例に係る吐水装置１００は、左右方向の幅が広いスリット状の吐出口２０が端部に設けられた絞り流路１２を備え、水を浴槽９０へ吐出する。絞り流路１２は移動可能に設けられている。これにより、吐水装置１００は、吐水流量に拠らず吐出口２０から吐出する吐水流を変化させることができる。
【００４２】
また絞り流路１２は、上下方向に移動可能に設けられている。これにより、吐水装置１００は、絞り流路１２を上下方向へ移動させて吐水流が到達する距離を変化させることができる。
【００４３】
また絞り流路１２は、左右方向の軸まわりに回動可能に設けられている。これにより、吐水装置１００は、絞り流路１２の向きを上下に移動させて吐水流が到達する距離を変化させることができる。
【００４４】
また絞り流路１２は、前後方向に移動可能に設けられている。これにより、吐水装置１００は、絞り流路１２を前後に移動させて吐水流が到達する距離を変化させることができる。
【００４５】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４６】
１２  絞り流路、  ２０  吐出口、  ９０  浴槽、  １００  吐水装置。
【図１】
2019208637.tif 000003
【図２】
2019208637.tif 000004
【図３】
2019208637.tif 000005
【図４】
2019208637.tif 000006
【図５】
2019208637.tif 000007
【図６】
2019208637.tif 000008
【図７】
2019208637.tif 000009
【図８】
2019208637.tif 000010
【図９】
2019208637.tif 000011
【図１０】
2019208637.tif 000012
【図１１】
2019208637.tif 000013
【図１２】
2019208637.tif 000014